(57)【要約】      （修正有）【課題】紙質帯状物をその断面形状を変化させることなく必要時に必要場所で必要長さに能率的に切断することを可能とする紙質帯状物のコイル巻き品を提供する。【解決手段】巻き芯１と、一辺部ａ０１及び他辺部ａ０２を有し、幅方向で切断したときの断面形状がＬ形とされ、他辺部ａ０２には巻き芯１の外周面に沿うような一辺部ａ０１の円弧状曲がりを容易化させる切込み部が他辺部ａ０２の長さ方向に列設され、全長が数百メートル以上とされ、一辺部ａ０１が巻き芯１の外周面に沿わせられ他辺部ａ０２が巻き芯１の半径面に沿わせられ、鋭角側表面ｓ１が鈍角側表面ｓ２に重ね合わされるようなコイル状に巻き付けられた紙質帯状物ａ１００とを備えた構成とする。【選択図】図１
0003190637.tif 000002
【実用新案登録請求の範囲】
【請求項１】
短筒状の巻き芯と、一辺部及びこれに交差した他辺部を有し、幅方向で切断したときの断面形状がＬ形とされ、前記他辺部には前記巻き芯の外周面に沿うような前記一辺部の円弧状曲がりを容易化させる切込み部が該他辺部の長さ方向に列設され、前記一辺部が前記巻き芯の外周面に沿わせられ前記他辺部が前記巻き芯の半径面に沿わせられてコイル巻き状とされた紙質帯状物とを備えていることを特徴とする紙質帯状物のコイル巻き品。
【請求項２】
前記紙質帯状物は、全長が数百メートル以上とされ、前記一辺部が前記巻き芯の外周面に沿わせられ前記他辺部が前記巻き芯の半径面に沿わせられ、鋭角側の表面が鈍角側の表面に重ね合わされていることを特徴とする請求項１記載の紙質帯状物のコイル巻き品。
【請求項３】
前記一辺部の始端部が前記巻き芯の外周面に分離可能に止着されており、前記紙質帯状物の終端部が前記巻き芯にコイル状に巻き付けられた状態の前記紙質帯状物の弛緩を規制するように、粘着テープを介し、該終端部よりも前記始端側となる前記紙質帯状物の長さ途中箇所に止着されていることを特徴とする請求項１又は２記載の紙質帯状物のコイル巻き品。
【請求項４】
前記巻き芯の外周面と前記紙質帯状物の始端部とが結合用のテープを介して止着されており、該テープを長さ途中位置で切り離すように作用する切断具が前記巻き芯の外周面に付設されていることを特徴とする請求項１、２又は３記載の紙質帯状物のコイル巻き品。
【請求項５】
前記始端部が前記巻き芯の外周面に粘着テープを介して止着されており、該粘着テープは片面を粘着面とされ、一端側の粘着面を前記外周面に粘着され他端側の粘着面を前記始端部における前記一辺部の外側の表面に粘着されており、前記始端部が前記巻き芯の半径方向の外方へ引張されたとき前記始端部と関連した位置で前記粘着テープを切り離すように作用する切断具が前記巻き芯に付設されていることを特徴とする請求項１、２又は３記載の紙質帯状物のコイル巻き品。
【請求項６】
前記巻き芯及び前記切断具が粘着テープの脱着により他の紙質帯状物のコイル巻き品に再利用可能とされていることを特徴とする請求項４又は５記載の紙質帯状物のコイル巻き品。
【請求項７】
前記紙質帯状物がコイル鋼板のコーナー部を覆うための保護材であって、厚さ数ミリで前記一辺部及び前記他辺部の各幅を５０ｍｍ〜１００ｍｍの範囲内とされ、前記切込み部を三角形の切除部とされ、該切除部を他辺部の長さ方向へ５０ｍｍ〜１００ｍｍのピッチで列設されていることを特徴とする請求項１、２、３、４、５又は６記載の紙質帯状物コイル巻き品。
【考案の詳細な説明】
【技術分野】
【０００１】  本考案は、コイル鋼板のコーナー部を覆う保護材などとされる紙質帯状物のコイル巻き品に関する。
【背景技術】
【０００２】  紙又は合成樹脂板などで形成された断面Ｌ形の帯状体である紙質帯状物からなる保護材は、例えばコイル鋼板の周面と端面の交差箇所であるコーナー部が損傷するのを防止するためなどに使用される（例えば特許文献１参照）。【０００３】  このような保護材の一種として現在では図２に示すような紙質帯状物ａ１００からなる保護材が出現している。この保護材ａ１００は全体を例えば厚紙で形成され幅方向途中を屈曲され、断面形状を一辺部ａ０１と他片部ａ０２からなるＬ形とされている。上記他辺部ａ０２にはこれを円環状に曲げる処理を容易化させ、使用状態での皺の発生や自身の部分的な重なりを避けるため、三角状の切除部ａ０３をその長手方へ多数、列設されている。図６はこの保護材ａ１００の使用例を示している。一辺部ａ０１をコイル鋼板ｗ１の周面に添わせ、他辺部ａ０２をその端面に添わせるように使用される。このように使用される保護材ａ１００は、これを使用する側であるコイル鋼板メーカーがその長さ及び数量を指定して保護材メーカーに発注し、この発注に応じて保護材メーカーが製造してコイル鋼板メーカーに運搬するように取り扱われている。【０００４】  図７は保護材メーカーにおける保護材ａ１００の製造工程の一例を示している。
保護材メーカーでは、コイル状に巻かれた帯状の厚紙ａ１０１を引き出して折り曲げ工程ｂ１に供給し、ここで厚紙ａ１０１を連続的に断面Ｌ形に折り曲げる処理を行う。こうして連続成形された断面Ｌ形の帯状の厚紙ａ１０１は次の切断工程ｂ２に供給される。切断工程ｂ２では、帯状の厚紙ａ１０１をコイル鋼板メーカーの発注情報に従って順次に切断処理し、発注された長さ及び数量の帯状の厚紙ａ１０２を作成する。【０００５】  次にこうして得られた帯状の厚紙ａ１０２を適当な数量づつ積層させて切込工程ｂ３に移動させ、ここで、これら積層状態の帯状の厚紙ａ１０２を同時に切り込んで図２に示すような切除部ａ０３を形成する処理を繰り返す。これにより断面Ｌ形の紙質帯状物からなる直状の保護材ａ１００が製造されるが、これら保護材ａ１００は比較的短いものについては図７に示すように積層され、比較的長いものは円環状に丸められた状態で積層され、紐ｃ１などで束ねられた後、コイル鋼板メーカーに運搬される。【０００６】  このような保護材ａ１００の取扱いにおいては次のような不便がある。
すなわち、コイル鋼板メーカーで製造されるコイル鋼板は一般に、その直径が種々に相違したものとされる。したがって、コイル鋼板メーカーでは効率的な製造を行うため、多数種長さの保護材を在庫として保有しておく必要があり、その保守管理が面倒である。
またコイル鋼板の直径が変更されたときは、これに対応した長さの保護材ａ１００を保護材メーカーに発注し用意する必要があるが、迅速な対応が困難である。【０００７】  上記のような不利に対処するため、近年、コイル鋼板のメーカーにおいて必要長さの保護材を必要時に必要数量だけ製作することを可能とした技術が案出され特許文献２に開示されている。【０００８】  その概要を説明すると、まず保護材メーカーにおいて、数百メートルにも及ぶ長さの図２に示すような断面Ｌ形の長尺の保護材ａ１００を成形し、その後に、この保護材ａ１００を単一平面化させるべく展開状態として、これを紙管にコイル状に巻き取ったコイル巻き品を製造する。【０００９】  一方、コイル鋼板メーカーにおいては、このコイル巻き品を在庫として保有すると共に、コイル鋼板に使用すべき保護材が必要になった時点で、専用の製造機を使用して、このコイル巻き品から展開状態の保護材を必要長さだけ引き出し、再び断面Ｌ形に成形した後に、必要長さに切断する。【００１０】  このように保護材ａ１００を取り扱うことで、保護材ａ１００の在庫についての面倒な保守管理は解消される。しかし、断面をＬ形とされた長尺の保護材ａ１００を製造した後、これを展開状態とし、さらに再び断面をＬ形に戻すような処理をするため、保護材ａ１００の剛性が減少されて、保護材ａ１００としての性能が劣化するのである。
なお、特許文献３及び４には従来におけるコイル鋼板のコーナー部の保護材及びその使用に関連した技術が開示されている。
【先行技術文献】
【特許文献】
【００１１】
【特許文献１】特開平９−２０２３５４号公報
【特許文献２】実用新案登録第３１５５４４４号公報
【特許文献３】特開平７−２１５３１１号公報
【特許文献４】特開平９−１１８３０８号公報
【考案の概要】
【考案が解決しようとする課題】
【００１２】  本考案は、図２に示す保護材ａ１００で代表される断面Ｌ形の紙質帯状物をその断面形状を変化させることなく必要時に必要場所で必要長さに能率的に切断することを可能とする紙質帯状物のコイル巻き品を提供することを目的としている。
【課題を解決するための手段】
【００１３】  上記課題を解決するため、本考案に係る紙質帯状物のコイル巻き品は、
短筒状の巻き芯と、
一辺部及びこれに交差した他辺部を有し、幅方向で切断したときの断面形状がＬ形とされ、前記他辺部には前記巻き芯の外周面に沿うような前記一辺部の円弧状曲がりを容易化させる切込み部が該他辺部の長さ方向に列設され、前記一辺部が前記巻き芯の外周面に沿わせられ前記他辺部が前記巻き芯の半径面に沿わせられてコイル巻き状とされた紙質帯状物とを備えているものである。【００１４】  上記考案は以下の（１）から（４）のような構成とするのが好ましい。
（１）前記紙質帯状物は、全長が数百メートル以上とされ、前記一辺部が前記巻き芯の外周面に沿わせられ前記他辺部が前記巻き芯の半径面に沿わせられ、鋭角側の表面が鈍角側の表面に重ね合わされている構成とする。このような構成は前記紙質帯状物の巻き取り時の他片部間の不都合な干渉を回避させる。
（２）前記一辺部の始端部が前記巻き芯の外周面に分離可能に止着されており、前記紙質帯状物の終端部が前記巻き芯にコイル状に巻き付けられた状態の前記紙質帯状物の弛緩を規制するように、粘着テープを介し、該終端部よりも前記始端側となる前記紙質帯状物の長さ途中箇所に止着されている構成とする。このような構成はコイル状に巻き付けられた状態の前記紙質帯状物の移動中における形態崩れの発生を阻止する。
（３）前記巻き芯の外周面と前記紙質帯状物の始端部とが結合用のテープを介して止着されており、該テープを長さ途中位置で切り離すように作用する切断具が前記巻き芯の外周面に付設されている構成とする。このような構成は前記巻き芯上の前記紙質帯状物が全て引き出されたとき、前記切断具がテープを切断することにより、巻き芯に過大な力が作用するのを阻止すると共に前記紙質帯状物の始端部に巻き芯から分離されたテープが止着された状態で該紙質帯状物が移動する不都合を回避させる。
（４）前記始端部が前記巻き芯の外周面に粘着テープを介して止着されており、該粘着テープは片面を粘着面とされ、一端側の粘着面を前記外周面に粘着され他端側の粘着面を前記始端部における前記一辺部の外側の表面に粘着されており、前記始端部が前記巻き芯の半径方向の外方へ引張されたとき前記始端部と関連した位置で前記粘着テープを切り離すように作用する切断具が前記巻き芯に付設されている構成とする。このような構成は前記粘着テープが切断具で切断されることにより、前記巻き芯から剥離された粘着テープが前記紙質帯状物と一緒にこれの引き出し手段に引き出される不都合を回避させる。
（５）前記巻き芯及び前記切断具が粘着テープの脱着により他の紙質帯状物のコイル巻き品に再利用可能とされている構成とする。この構成はコイル巻き品の製造を安価とする。
（６）前記紙質帯状物がコイル鋼板のコーナー部を覆うための保護材であって、厚さ数ミリで前記一辺部及び前記他辺部の各幅を５０ｍｍ〜１００ｍｍの範囲内とされ、前記切込み部を三角形の切除部とされ、該切除部を他辺部の長さ方向へ５０ｍｍ〜１００ｍｍのピッチで列設されている構成とする。このような構成は紙質帯状物をコイル鋼板のコーナー部の保護に適したものとする。
【考案の効果】
【００１５】  本考案によれば、断面Ｌ形の紙質帯状物を必要時に必要場所で必要長さだけ引き出しその断面形状を変化させることなく能率的に切断することを可能とするものである。したがって、保護材である紙質帯状物の使用者においては予め使用長さに切断された多種の保護材を在庫する必要がなくなり、しかも紙質帯状物を何回も折り曲げ展開しないでも保護材の使用場所において任意長さの断面Ｌ形の保護材を得ることを可能にすると共にこの保護材の剛性を比較的大きく維持させて従来の特許文献１の技術における保護性能の劣化を防止することができる。
【図面の簡単な説明】
【００１６】
【図１】本考案の一実施例のコイル巻き品を示す断面図である。
【図２】上記コイル巻き品の対象である紙質帯状物である。
【図３】上記コイル巻き品の製造ラインの一例を示す説明図である。
【図４】上記コイル巻き品の巻き芯と紙質帯状物の始端部との関係を示す斜視図である。
【図５】上記コイル巻き品を使用するさいに使用される台車を示しＡは平面図でＢは正面視説明図である。
【図６】紙質帯状物からなる保護材の使用例を示している。
【図７】保護材メーカーにおける保護材の製造工程の一例を示している。
【考案を実施するための形態】
【００１７】  以下、本考案に係る紙質帯状物のコイル巻き品の一実施例について、図面を参照して説明する。ここに紙質帯状物は紙と同質の帯状物を云うもので、図２に示すような保護材をも含む広い概念である。
【００１８】  図１は本例のコイル巻き品を示す断面図、図２はこのコイル巻き品の対象である紙質帯状物である。
本例のコイル巻き品１００は、基本的には巻き芯１と、これにコイル状に巻き付けられた紙質帯状物ａ１００からなっている。巻き芯１は紙材又は合成樹脂など適宜な材料により短筒状に形成されている。例えば厚紙を糊で接着しながら積層状に巻いて形成されるものであり、本例では外径を凡そ３５０ｍｍ程度とされ厚さを５ｍｍ程度とされ長さを７５ｍｍ程度とされている。
【００１９】  紙質帯状物ａ１００は図２に示す従来の保護材と同様な形態のもので差し支えないが、従来のものと異なり、長さが数百メートル以上とされ、しかも断面形状がＬ形の状態で鋭角側表面ｓ１を鈍角側表面に重ね合わせるようなコイル状に巻かれている。本例の紙質帯状物ａ１００は全幅が１２５ｍｍで厚さが２ｍｍの帯状の厚紙の幅方向途中を長さ方向に沿って９０度に折り曲げてある。そして折り曲げ線ｄ１を境として一側を一辺部ａ０１とされ、他側を他辺部ａ０２とされており、一辺部ａ０１の幅ｄ２は５０ｍｍ〜１００ｍｍの範囲内の大きさ（例えば７５ｍｍ）とされ、他辺部２ｂの幅ｄ３は５０ｍｍ〜１００ｍｍの範囲内の大きさ（例えば５０ｍｍ）とされている。そして他辺部ａ０２には一辺部ａ０１がこの他辺部ａ０２に沿って無理なく湾曲することを可能とする切り込み部ａ０３である三角形の切除部ａ０３が長さ方向へ５０ｍｍ〜１００ｍｍの範囲内の大きさ（例えば７５ｍｍ）のピッチで形成されている。なお、この切り込み部ａ０３は他辺部ａ０２の幅方向に形成された切り込みであっても差し支えない。
【００２０】  図３は本例のコイル巻き品１００の製造ラインの一例を示す説明図である。この製造ライン１００は厚紙支持部２、折り曲げ部３、切除処理部４、巻き取り部５及び出荷作業場６からなっている。
【００２１】  厚紙支持部２は本例では幅１２５ｍｍで厚さが２ｍｍの紙質帯状物ａ１である厚紙をロール状に巻いた状態の原材料ａ２を支持し、この原材料ａ２の厚紙が矢印方向ｅ１へ連続的に引き出されるようになっている。折り曲げ部３は厚紙支持部２から紙質帯状物ａ１を引き出しつつこれの幅方向途中を折り曲げる処理を実行するもので、これを通過した紙質帯状物ａ１は断面形状をＬ形とされ一辺部ａ０１と未完成の他辺部ａ０２とが形成された状態となる。
【００２２】  切除処理部４は紙質帯状物ａ１が送り移動される過程で未完成の他辺部ａ０２に切除部ａ０３を適宜な切り抜き刃により任意なピッチ（７５ｍｍ）で形成する。
【００２３】  巻き取り部５は切除処理部４から順次に送り出される紙質帯状物ａ１００を巻き芯１に巻き取るように処理する。このさい、巻き芯１を動力で回転させることにより、巻き芯１の外周面に紙質帯状物ａ１００が巻き取られるようになる。この巻き取りを確実且つ安定的に行わせるため、紙質帯状物ａ１００の始端は巻き芯１の外周面に分離可能に止着される。これにより紙質帯状物ａ１００の巻き取り中に巻き芯１の周面上で紙質帯状物ａ１００がスリップする現象が阻止される。巻き芯１への紙質帯状物ａ１００の巻き取りが進行し、数百メートル以上の長さの紙質帯状物ａ１００が巻き芯１に巻き取られた時点で紙質帯状物ａ１００は切断され、この巻き芯１への巻き取りは終了し、図２及び図３に示すような一つのコイル巻き品１００が製造される。
【００２４】  このコイル巻き品１００の紙質帯状物ａ１００の終端は粘着テープなどを使用して紙質帯状物ａ１００のコイル巻きが弛緩しないようにこのコイル巻きの紙質帯状物ａ１００の適所に止着される。このように一つの巻き芯１へのコイル巻きが終了した後は、直ちに、これに隣接して用意されている別の巻き芯１に巻き取らせるようにして切除処理部４からの紙質帯状物ａ１００の送り出しを停止させないようにするのが処理能率を高く維持する上で好ましい。
【００２５】  製造されたコイル巻き品１００は出荷作業場に移動され、ここで図１及び図３に示すように周方向の複数箇所（図示例では４カ所）の半径箇所をリング状のバンド３で締結する。これによりコイル巻き品１００は搬送中において紙質帯状物ａ１００のコイル巻きが崩れるのを確実に防止される。
【００２６】  次に巻き芯１と紙質帯状物ａ１００の始端側の部分との関係を詳細に説明する。図４は巻き芯１に紙質帯状物ａ１００を巻き取らせるときの、巻き芯１と、紙質帯状物ａ１００の始端部との関係を示す斜視図である。
【００２７】  巻き芯１の外周面の周方向の一部に外面が剥離性に富む第一の粘着テープ（例えばクラフトテープ）４が貼ってある。この第一の粘着テープ４の外面の範囲内に第二の粘着テープ（例えばクラフトテープ）５が貼ってある。第二の粘着テープ５は外面を非粘着面とされ裏面を粘着面とされている。
【００２８】  そして第二の粘着テープ５の周方向長さ途中の外面箇所に金属材からなる板状の切断具６が巻き芯１のほぼ全長に渡って位置され、その波形刃縁６ａを巻き芯１の周方向一側（巻き芯１に対する紙質帯状物ａ１００のコイル巻き方向の前側）に向けて固定されている。この切断具６及びこれを支持する巻き芯１箇所の双方を外方から取り囲むように、金属材からなる有限長の帯板７が四角筒形の開放環状となるように折り曲げられている。
【００２９】  切断具６はこの帯板７の内面箇所に接着剤又は点溶接などにより固定されて位置保持されている。この帯板７は外周囲に粘着テープ（例えばクラフト粘着テープ）８を巻き付けられ、この粘着テープ８の粘着面を巻き芯１に粘着されて固定されている。
【００３０】  この状態の下で、切断具６の波形刃縁６ａの前側に存在した第二の粘着テープ５の一端部５ａを仮想線ｆ１で示すように第一の粘着テープ４の外面から剥離させた状態とし、この第二の粘着テープ５の一端部５ａと第一の粘着テープ４との間に、紙質帯状物ａ１００の一辺部ａ０１の始端部ｇ１を位置させその始端縁を切断具６の波形刃縁６ａにほぼ合致させた状態とする。
【００３１】  この後、仮想線ｆ１で示すように剥離された状態の粘着テープ５の一端部５ａを、紙質帯状物ａ１００の始端部ｇ１の外面に押圧して粘着させる。そして切断具６は、紙質帯状物ａ１００の始端部ｇ１が図４Ｂに示すように巻き芯１の半径方向外側へ引張されたときに始端部ｇ１と関連した位置（始端縁）で粘着テープ５を切り離すものとされている。切断具６の刃縁６ａは例えば既存の金切り鋸の刃に準じた形状、ピッチ及び刃高とするのが好ましい。
【００３２】  次に本例のコイル巻き品１００の使用例を説明する。
図５は本例のコイル巻き品１００を使用するさいに使用される台車を示しＡは平面図でＢは正面視説明図である。
【００３３】  台車２００は支持輪９で走行移動可能とされた支持台部１０を有している。支持台部１０の上面からは２本の棒状部材１１ａ、１１ｂが起立されており、それぞれの棒状部材１１ａ、１１ｂには回転テーブル１２が複数段（図示例では３段）に装設されている。
【００３４】  このさい各段の回転テーブル１２は単独で棒状部材１１ａ、１１ｂに対し脱着できる構造とされている。各回転テーブル１２はその対応する棒状部材１１ａ、１１ｂを中心として回動自在に保持されており、上面における直交した２本の直径の各端部にＬ形片１３を配置され各直径方向の位置変更可能にボルトで固定されている。
【００３５】  各回転テーブル１２の上面の外周部においてこれら４つのＬ形片２０の周方向の配列間隔のほぼ中間箇所に切欠ｈ１が形成されている。２本の棒状部材１１ａ、１１ｂの上端には横向き結合棒１４が掛け渡され、この結合棒１４の各端部をアイボルト１５、１５にてネジ結合した状態とされている。
【００３６】  本例のコイル巻き品１００を使用場所まで運搬するときは、台車２００の回転テーブル１２のそれぞれの上面に図１及び図３に示す状態とされた一つのコイル巻き品１００を載置するのであり、このさい巻き芯１を４つのＬ形片１３に大きな隙間の生じない状態で嵌合させる。これによりコイル巻き品１００はその位置をＬ形片１３で安定的に保持される。このさい、各コイル巻き品１００はこれに止着されている各バンド３が回転テーブル１２の外周縁に設けられた切欠ｈ１内に位置した状態とされる。
【００３７】  また各段の回転テーブル１２の相対距離は一つのコイル巻き品１００の高さより小さく設定されているため、各段の回転テーブル１２にコイル巻き品１００を載置した状態では、上下方向に配列されたコイル巻き品１００は部分的に重なった状態となる。このような配列はコイル巻き品１００の収納スペースを最小化させる上で役立つ。
【００３８】  このようにしてコイル巻き品１００が各回転テーブル１２上に載置された後は、アイボルト１５、１５に吊りワイヤを通すなどして台車２００を吊り上げトラックなどの荷台に載せ、コイル巻き品１００の使用場所まで運搬する。
【００３９】  コイル巻き品１００の使用場所では、アイボルト１５、１５に吊りワイヤを通すなどしてトラックなどの荷台から台車２００を吊り降ろす。この台車２００は使用場所において使用されるまで保管される。コイル巻き品１００を使用するときは、台車１００を押し引きして紙質帯状物ａ１００の切断処理場所まで移動させる。
【００４０】  切断処理場所では、台車２００上の回転テーブル１２上に載置された状態のコイル巻き品１００から既存の適宜な駆動ローラによる送り力により紙質帯状物ａ１００を必要長さだけ引き出し既存の適宜な切断装置で切断する。このさい、回転テーブル１２上に載置されたコイル巻き品１００のバンド３は切欠ｈ１内に位置されているため、これを切断して除去する作業を行うときにバンド３が回転テーブル１２とコイル巻き品１００との間に挟まって生じる不都合を回避することができる。また回転テーブル１２は紙質帯状物ａ１００の引き出しを容易化させる上で役立つ。こうして必要長さに作成された紙質帯状物ａ１００は例えば図６に示すように使用される。
【００４１】  回転テーブル１２上のコイル巻き品１００から紙質帯状物ａ１００の全てが引き出されたとき、その始端部ｇ１は前記駆動ローラなどの引き出し力を受けて図４Ｂに示すように巻き芯１の半径方向へ引張される状態となる。このとき粘着テープ５が切断具６により紙質帯状物ａ１００の始端より例えば０ｍｍ〜数ミリ程度、巻き芯１に近い位置で切断される。
【００４２】  これにより、紙質帯状物ａ１００の始端部ｇ１及びこれに粘着された粘着テープ５の一部は前記駆動ローラにより台車２００の外方に引き出され、やがて前記駆動ローラや前記切断装置を経ることになっても、これらに粘着テープ５の粘着面が接触する現象は回避され、したがって前記駆動ローラや前記切断装置に粘着テープ５の粘着面が接着するなどの弊害は回避される。
【符号の説明】
【００４３】  １  巻き芯
５  粘着テープ
６  切断具
ａ０１  一辺部
ａ０２  他辺部
ａ０３  切込み部（切除部、切り込み）
ａ１００  紙質帯状物（保護材）
ｇ１  始端部
ｗ１  コイル鋼板
【図１】
0003190637.tif 000003
【図２】
0003190637.tif 000004
【図３】
0003190637.tif 000005
【図７】
0003190637.tif 000006
【図４】
0003190637.tif 000007
【図５】
0003190637.tif 000008
【図６】
0003190637.tif 000009